(57)【要約】【課題】  本発明は、商店のカウンター上に設置するたばこ箱等の商品の陳列を安全かつ安定性よく保持し取り出し易い装置を提供することを目的とする。【解決手段】  本発明は、最下段の基板１の前方突出部３に下凹部４を設けるとともに後枠部２’に外凹部５を設け、前記基板の上方部に適当間隔をおいて複数段配置する各載置板６の前方突出部８には下凹部９を，後枠部７’には外凹部１０をそれぞれ設け、前記基板および各載置板の左右両側部は支杆１１により連結し、一側部に高側壁２３を他側部に低側壁２４を設けて成る長方形状の個別用トレー２０の底面部前部には下突起３３を，後側部には後突起３４をそれぞれ設け、この各トレーの下突起は前記基板および各載置板の下凹部に嵌合するとともに後突起は前記基板１および各載置板の外凹部に嵌合し、所定場所に設置する前記基板および載置板の内部に個別用トレーをそれぞれ安定せしめるようにする。【選択図】    図１
2009106536.tif 000002
【特許請求の範囲】
【請求項１】
最下段の基板の前方突出部に下凹部を設けるとともに後枠部に外凹部を設け、前記基板の上方部に適当間隔をおいて複数段配置する各載置板の前方突出部には下凹部を，後枠部には外凹部をそれぞれ設け、前記基板および各載置板の左右両側部は支杆により連結し、
一側部に高側壁を他側部に低側壁を設けて成る長方形状の個別用トレーの底面部前部には下突起を，後側部には後突起をそれぞれ設け、この各トレーの下突起は前記基板および各載置板の下凹部に嵌合するとともに後突起は前記基板および各載置板の外凹部に嵌合するようにし、
所定場所に設置する前記基板および載置板上に前記個別用トレーをそれぞれ安定せしめることを特徴とする商品陳列装置。
【請求項２】
最下段の基板の前方突出部に下凹部を設けるとともに後枠部に外凹部を設け、前記基板の上方部に適当間隔をおいて複数段配置する各載置板の前方突出部には下凹部を，後枠部には外凹部をそれぞれ設け、前記基板および各載置板の左右両側部は支杆により連結し、
左右一対に成るカートン用トレーの一側部に高側壁を設けるとともに他側部に開放部を形成し、前記高側壁の前端上部に内向き突片を設けるとともにその下方部には切欠部を形成し、カートン用トレーの後側部に前記一側壁と同高の後壁を設けるとともに後壁内側には傾斜面部を形成し、
前記カートン用トレーの底面部前部には下突起を，後側部には後突起をそれぞれ設け、前記下突起は基板および各載置板の下凹部に嵌合するとともに後突起は前記基板および各載置板の外凹部に嵌合するようにし、
所定場所に設置する前記基板および載置板上に前記カートン用トレーをそれぞれ安定せしめることを特徴とする商品陳列装置。
【請求項３】
各載置板の最上段部の上方に、載置板と同一形状に成る加載置板を吊杆を介して連結するように成る請求項１または２に記載した商品陳列装置。
【請求項４】
個別用トレーの底面部に接着部を設けて成る請求項１に記載した商品陳列装置。
【請求項５】
一対のカートン用トレーの底面部に接着部を設けて成る請求項２に記載した商品陳列装置。
【請求項６】
個別用トレーの内部に収容する商品列の背面部を任意手段により押圧摺動せしめるようにする請求項１または２に記載した商品陳列装置。
【請求項７】
一対のカートン用トレー間に横架収容するカートン列の背面部を任意手段により押圧摺動せしめるようにする請求項１または２に記載した商品陳列装置。
【発明の詳細な説明】
【技術分野】
【０００１】
本発明は、例えば商店のカウンターにおいて、たばこ等の箱入り商品を販売するための陳列装置に関するものである。
【背景技術】
【０００２】
例えば、たばこを所定のトレー上に収容しこれを陳列する手段としては、１個宛に取り出す場合のトレーとカートン宛に取り出す場合のトレーとがあるが、次のような陳列具が特許公報上公開されている。
【０００３】
【特許文献１】特開平１０−８５０８９号公報
【特許文献２】特開平１１−３４６８７９号公報
【特許文献３】特開２０００−５１０２０号公報
【０００４】
しかしながら、これらの技術によっては、商店のカウンターにおけるスタンド上の各トレーの設置が不安定であったり、また１個宛でもカートン宛でも、その取り出し作業は必ずしも円滑に行うことができるものではなかったため、その改良が課題となっていた。
【発明の開示】
【発明が解決しようとする課題】
【０００５】
そこで、本発明は前記公知発明らの欠点を除去した安全かつ安定性のあるトレーでかつ取り出し易い陳列装置を提供することを目的とするものである。
【課題を解決するための手段】
【０００６】
本発明は、最下段の基板の前方突出部に下凹部を設けるとともに後枠部に外凹部を設け、前記基板の上方部に適当間隔をおいて複数段配置する各載置板の前方突出部には下凹部を，後枠部には外凹部をそれぞれ設け、前記基板および各載置板の左右両側部は支杆により連結し、一側部に高側壁を他側部に低側壁を設けて成る長方形状の個別用トレーの底面部前部には下突起を、後側部には後突起をそれぞれ設け、この各トレーの下突起は前記基板および各載置板の下凹部に嵌合するとともに後突起は前記基板および各載置板の外凹部に嵌合し、所定場所に設置する前記基板および載置板の内部に個別用トレーをそれぞれ安定せしめるようにするものである。
【０００７】
また、本発明は、左右一対に成るカートン用トレーの一側部に高側壁を設けるとともに他側部に開放部を形成し、前記高側壁の前端上部に内向き突片を設けるとともにその下方部には切欠部を形成し、カートン用トレーの後側部に前記一側壁と同高の後壁を設けるとともにこの内側に傾斜面部を形成し、前記カートン用トレーの底面部前部には下突起を，後側部には後突起をそれぞれ設け、前記下突起は基板および各載置板の下凹部に嵌合するとともに後突起は前記基板および各載置板の外凹部に嵌合し、所定場所に設置する前記基板および載置板上に前記カートン用トレーをそれぞれ安定せしめるようにするものである。
【発明の効果】
【０００８】
第１に、たばこ等の商品を陳列販売する商店のカウンター等の設置場所に合わせて陳列装置の高さを加減調整することができるから、特に店側にとっては利便性の高いものとなる。
【０００９】
第２に、カウンター上の１つのスタンドによって陳列したいたばこは、個別用トレーとカートン用トレーとに分けて使用することができ、店側にも顧客側にも利便性がよいものである。
【００１０】
第３に、カウンター上のスタンドの基板や各載置板上に載置する個別用トレーもカートン用トレーはいずれも安定性がよく設置されており、それぞれの取り出し作業に全く支障はなく、円滑に行われるようになる。
【００１１】
第４に、個別用トレーもカートン用トレーもその取り出しは円滑かつ容易に行うことができる。
【発明を実施するための最良の形態】
【００１２】
本発明にあっては、たばこ等の商品を１個宛陳列する場合にあっても、カートン宛陳列する場合にあっても、同じスタンドの基板と載置板上にそれぞれのトレーを配置するものであり、各トレーはその底面部の下突起と後側部の後突起がそれぞれ対応する基板や載置板の下凹部と外凹部に嵌合した状態に保持する。
【００１３】
このような各部の嵌合保持の状態に不安がある場合は、前記各トレーの底面部に接着部を設けたものを基板や載置板上に配置するようにすればよい。
【００１４】
また、たばこ等の商品をカートン宛陳列する場合にあっては、基板や任意の載置板上に左右に対応する一対のカートン用トレーを載置すれば、前記個別用トレーの場合と同様に、各トレーはその底面部と後側部が基板や載置板の下凹部と外凹部に嵌合した状態に保持されるようになる。
【００１５】
いずれのトレーの場合にあっても、たばこ等の陳列状態にあっては、その列の背面部に発条帯を介してスライダーの当て板が当接して押圧しているから、個別でもカートンでも１個宛取り出す毎に前方へ移動するようになる。
【００１６】
左右一対の別カートン用トレー間にカートンを偏平かつ奥長手方向に積み重ねたときは、下位置のカートンを先に引き抜くようになるが、この時、上積みのカートンの前端部は内向き突片に当接して停止されている。
【実施例】
【００１７】
１は最下段部に位置する基板で、この基板は左右両側端および後側端には枠部２，２，２’を設け、基板の前側端部は前記左右枠部２，２より前方に突設した突出部３を形成している。
【００１８】
前記基板１の突出部３には下凹部４を設け、また基板の後枠部２’には外凹部５を設ける。
【００１９】
６・・は前記基板１の上方部に適当間隔をおいて複数段に配置する載置板で、同一大きさに成る各載置板の左右両側端および後側端には枠部７，７，７’を設け、各載置板の前側端は前記左右両枠部７，７より前方に突設した突出部８を形成するが、この突出部を含む各載置板６の前側部は、前記基板の前側部より上段位になるにしたがい漸次後退するように形成し、陳列商品を取り出し易くしている。（図２参照）
【００２０】
前記各載置板６の各突出部８にはそれぞれ下凹部９を設け、また各載置板の後枠部７’には外凹部１０を設ける。
【００２１】
１１，１１は前記基板１および各載置板６をその左右両側部間を囲んで前後側部に設ける支杆で、この両支杆全体は凵形に成り、基板１の底面部の前後両部および基板１と各載置板６の左右両枠部を囲んで固定するように成る。
【００２２】
１２は前記載置板６の最上段部の上方に増設する加載置板で、この加載置板も他の前記載置板６と同形状に成り、左右両枠部１３，１３および後枠部１３’を設け、前側端には突出部１４を形成する。この加載置板１２は必要に応じて増結するものであるが、この加載置板の前側部は、直下の載置板６の前側部よりやや後退した位置にある。
【００２３】
前記加載載置板１２の前側突出部１４には下凹部１５を設け、また後枠部１３’には外凹部１６を設ける。
【００２４】
１７，１７は前記加載置板１２を左右両枠部１３，１３を介して前記最上段の載置板６の左右両枠部７，７の一部１９，１９に止着１８，１８する吊杆である。
【００２５】
前記加載置板１２は、設置しておく場所の状況に合わせ必要に応じて左右の吊杆１７，１７の高さを変更すればよい。
【００２６】
２０・・は全体が長方形状に成る個別用トレーで、この個別用トレーの前側面部２１および後側面部２２にはカード挿入部をそれぞれ設けるが、この前後の面カード挿入部には、例えば同一の番号とたばこ銘柄を表示したカードを挿入し、前側面部に当たる顧客側と後側面部に当たる店員側との間で、売買されるたばこの銘柄が一致するようにする。
【００２７】
この個別用トレー２０の一側部には高側壁２３を設け、その他側部には低側壁２４を設けているが、この低側壁の内側面はたばこ等の陳列商品の前方摺動のガイドとなる。（図５・図６・図７）
【００２８】
２５は前記個別用トレー２０の底面部の長手方向中央部に設けた巾狭の長孔ガイドで、この長孔ガイドの後端部には巾広部２６を設ける。
【００２９】
２７，２７は前記長孔ガイド２５の前端部の左右両側部に中間低部２８をおいて設けた山形状に成る載せ台部で、この両載せ台部上には陳列商品の最先位置にあるものの背面部を後続商品を押圧することによって、一段上位に位置せしめることになり、最先位置のたばこ等の商品を抜き取り易くする。
【００３０】
前記両載せ台部２７，２７の中間低部２８には、前記長孔ガイド２５上をスライドするスライダー２９の当て板の左右両側壁３０，３０間に一端を止着した発条帯３２の他端部を止着する係止部３１を設け、スライダー２９の当て板の前後摺動に合わせて発条帯３２が伸縮し、当て板を介してたばこ等の商品列を押圧するようになる。
【００３１】
３３は前記個別用トレー２０の底面部の前部に設けた下突起で、この下突起は前記基板１と各載置板６の前側突出部３，８に設けた下凹部４，９に嵌合するようになる。
【００３２】
３４は前記個別用トレー２０の後側部に設けた後突起で、この後突起は前記基板と各載置板の後側面部に設けた外凹部５，１０に嵌合するようになる。
【００３３】
３５，３５はカートン用トレーで、このトレーは前記基板１または各載置板６，１２のいずれにも載置し得るもので、このカートン用トレーの一側部には高側壁３６を，他側部には低側壁３７を設けているが、このトレーは左右対称に適当間隔をおいて配置するようになり、この両トレー間には、カートンｂが直立状態にかつ横方向に横架するようになり、その列の背面部には各トレー上のスライダー２９の当て板が当接して保持するようになる。（図１１・図１２）
【００３４】
３８は前記カートン用トレー３５，３５の底面部の長手方向中央部に設けた巾狭の長孔ガイドで、この長孔ガイドの後端部には巾広部３９を設ける。
【００３５】
前記長孔ガイド３８の延長線上のトレー底面部の一端部中央には発条帯４０の一端部を止着し、この発条帯の他端部は長孔ガイド３８上をスライドするスライダー４１の当て板の左右両側壁４２，４２間に設けた係止部４３に止着する。
【００３６】
このように成る前記カートン用トレー３５，３５を前記基板および各載置板上に左右対称に位置するように配置し、この左右対称位置に配置されているカートン用トレー３５，３５間にカートンｂを横方向に立てて置く。
【００３７】
したがって、左右両トレー間に横架する各カートンｂは、後方から発条帯４０による押圧を受けるスライダー４１の当て板に当接して載置している。
【００３８】
４４は前記カートン用トレー３５，３５の底面部の前部に設けた下突起で、この下突起は前記基板１または各載置板６の前側突出部３，８に設けた下凹部４，９の内部に嵌合するようになる。
【００３９】
４５は前記カートン用トレー３５，３５の後側部に設けた後突起で、この後突起は前記基板と各載置板の後側面部に設けた外凹部５，１０に嵌合するようになる。
【００４０】
４６，・・・は前記個別用トレー２０およびカートン用トレー３５，３５の底面部に設けた複数の接着部で、この接着部は各載置板上に各トレーを固定しておくためのものであり、この接着部４６は各載置板に対して着脱自在になる。
【００４１】
４７，４７は別カートン用トレーで、これは左右対称となる別カートン用トレーと一対になり、両トレーは各カートンｂを偏平状態にかつ奥方向に重ね積みするように使用する。（図１５・図１６）
【００４２】
この別カートン用トレー４７，４７の一側部には高側壁４８を設け、この他側部は開放部４９に成る。
【００４３】
５０は前記高側壁４８の前端上部に設けた内向き突片で、この内向き突片の下方部にはＬ形状の切欠部５１を形成する。前記突片５０の内側には上部に重なるカートンｂの前端部が当接するようになる。
【００４４】
前記突片５０は、別カートン用トレー４７，４７の前側端部５２よりやや前方に位置するようになる。
【００４５】
５３は前記別カートン用トレー４７，４７の底面部の後端部に立設する後壁で、この後壁の内側には傾斜面部５４を形成し、この傾斜面部にはカートンｂの後側面部が当接し、これによりカートンｂの前端部分は前記トレー４７の前側端部５２および上方の内向き突片５０の位置より外方に突出するようになるから、両指先を前記切欠部５１，５１からカートンｂに掛けて引き出すようにする。
【００４６】
５５は前記別カートン用トレー４７，４７の底面部の前側部に設けた下突起で、この下突起は前記基板１または各載置板６の前側突出部の下凹部４，９に嵌合するようになる。
【００４７】
５６は前記別カートン用トレー４７，４７の後側部に設けた後突起で、この後突起は前記基板または各載置板の後側面部の外凹部５，１０に嵌合するようになる。
【図面の簡単な説明】
【００４８】
【図１】全体の斜視図
【図２】全体の側面図
【図３】要部の平面図
【図４】図３Ａ−Ａ線の断面図
【図５】要部の平面図
【図６】図５Ｂ−Ｂ線の断面図
【図７】図５要部の正断面図
【図８】図５要部の拡大側断面図
【図９】他例要部の平面図
【図１０】図９Ｃ−Ｃ線の断面図
【図１１】カートントレー使用時の平面図
【図１２】図１０Ｄ−Ｄ線の断面図
【図１３】別カートントレーの斜視図
【図１４】図１２における使用時の側面図
【図１５】全体の一使用例の正面図
【符号の説明】
【００４９】
１                    基板
２，２，２’          枠部
３                    突出部
４                    下凹部
５                    外凹部
６                    載置板
７，７，７’          枠部
８                    突出部
９                    下凹部
１０                  外凹部
１１，１１            支杆
１２                  加載置板
１３，１３            左右両枠部
１４                  突出部
１５                  下凹部
１６                  外凹部
１７，１７            吊杆
１８，１８            止着部
２０                  個別用トレー
２１                  前側面部
２２                  後側面部
２３                  高側壁
２４                  低側壁
２５                  長孔ガイド
２７，２７            載せ台部
２９                  スライダー
３１                  係止部
３２                  発条帯
３３                  下突起
３４                  後突起
３５，３５            カートン用トレー
３６                  高側壁
３７                  低側壁
３８                  長孔ガイド
４０                  発条帯
４１                  スライダー
４３                  係止部
４４                  下突起
４５                  後突起
４６                  接着部
４７，４７            別カートン用トレー
４８                  高側壁
４９                  開放部
５０                  内向き突片
５１                  切欠部
５２                  前側端部
５３                  後壁
５４                  傾斜面部
５５                  下突起
５６                  後突起
【図１】
2009106536.tif 000003
【図２】
2009106536.tif 000004
【図３】
2009106536.tif 000005
【図４】
2009106536.tif 000006
【図５】
2009106536.tif 000007
【図６】
2009106536.tif 000008
【図７】
2009106536.tif 000009
【図８】
2009106536.tif 000010
【図９】
2009106536.tif 000011
【図１０】
2009106536.tif 000012
【図１１】
2009106536.tif 000013
【図１２】
2009106536.tif 000014
【図１３】
2009106536.tif 000015
【図１４】
2009106536.tif 000016
【図１５】
2009106536.tif 000017